(57)【要約】【課題】疾患者等の咄嗟の使用が容易に行うことができるとともに口腔内リンシング後の吐液処理も一連の動作・操作にて簡単に処理することができ、しかも常時の携帯、処理後の携行を衛生的に簡単に遂行できる。さらには量産に適し安価に実用性に富んだ口腔内リンシング用の口腔内リンシングパイプを提供を目的とするものである。【解決手段】吸引、吐下用口部３を備えるパイプ状の吸引、吐下用パイプ部２と、当該吸引、吐下用パイプ部２の連結部４に、洗口剤を充填したパイプ状の洗口剤部１０を回転自在に連結するとともに前記吸引、吐下用パイプ部２と洗口剤部１０の両連結部４，１１に隔壁４ｃ、１１ｃを設けて水密的に連結し、かつ両連結部４，１１の両隔壁４ｃ、１１ｃにそれぞれ連通孔４ｄ、１１ｄを開口するとともに両連通孔４ｄ、１１ｄを、前記吸引、吐下用パイプ部２に対する洗口剤部１０の回転操作により連通あるいは隔絶密閉することができるように構成した。【選択図】図２
2014030517.tif 000002
【特許請求の範囲】
【請求項１】
吸引、吐下用口部を備えるパイプ状の吸引、吐下用パイプ部と、当該吸引、吐下用パイプ部の連結部に、洗口剤を充填したパイプ状の洗口剤部を回転自在に連結するとともに前記吸引、吐下用パイプ部と洗口剤部の両連結部に隔壁を設けて水密的に連結し、かつ両連結部の両隔壁にそれぞれ連通孔を開口するとともに両連通孔を、前記吸引、吐下用パイプ部に対する洗口剤部の回転操作により連通あるいは隔絶密閉することができるように構成したことを特徴とする口腔内リンシングパイプ。
【請求項２】
前記吸引、吐下用パイプ部と洗口部剤の両連結部の外壁あるいは内壁のいずれか一方の全周に回転用溝を穿設するとともに他方の連結部の外壁あるいは内壁の全周に係合用の環状突起を突設し、当該環状突起を前記一方の連結部の外壁あるいは内壁の回転用溝に係合することにより、前記吸引、吐下用パイプ部に対する洗口剤部の回転操作を、前記両連結部のいずれか一方の回転用溝に沿って他方の環状突起を走行し、必要箇所に係止せしめつつ回転することにより遂行することができるように構成したことを特徴とする請求項１記載の口腔内リンシングパイプ。
【請求項３】
前記吸引、吐下用パイプ部と洗口部剤の両連結部の外壁あるいは内壁のいずれか一方の全周のうちの一部に回転用溝を穿設するとともに他方の連結部の外壁あるいは内壁の全周のうちの一部に係合用の環状突起を突設し、当該環状突起を前記一方の連結部の外壁あるいは内壁の回転用溝に係合することにより、前記吸引、吐下用パイプ部に対する洗口剤部の回転操作を、前記両連結部のいずれか一方の回転用溝に沿って他方の環状突起を走行し、かつ前記回転用溝と環状突起により回転角度方向を規制して必要箇所に係止せしめつつ回転することにより遂行することができるように構成したことを特徴とする請求項１記載の口腔内リンシングパイプ。
【請求項４】
前記吸引、吐下用パイプ部と洗口剤部の両連結部の連通孔を、吸引、吐下用パイプ部に対する洗口剤部の回転操作による連通あるいは隔絶密閉操作は、吸引、吐下用パイプ部と洗口剤部の両連結部のいずれか一方の連結部に表記した位置合わせ用の表示部を、他方の連結部に表記した位置合わせ用の表示部に位置合わせすることにより、前記吸引、吐下用パイプ部と洗口剤部の両連通部における両連通孔を連通あるいは隔絶密閉することができるように構成したことを特徴とする請求項１記載の口腔内リンシングパイプ。
【請求項５】
吸引、吐下用口部を備えるパイプ状の吸引、吐下用パイプ部と、当該吸引、吐下用パイプ部の連結部に、洗口剤を充填したパイプ状の洗口剤部を回転自在に連結するとともに前記吸引、吐下用パイプ部と洗口剤部の両連結部に隔壁を設けて水密的に連結し、かつ両連結部の両隔壁にそれぞれ連通孔を開口するとともに両連通孔を、前記吸引、吐下用パイプ部に対する洗口剤部の回転操作により連通あるいは隔絶密閉することができるように構成し、さらに前記洗口剤部の後側部の連結部に吐液処理剤を充填したパイプ状の吐液処理部を回転自在に連結するとともに洗口剤部と吐液処理部の両連結部に隔壁を設けて水密的に連結し、かつ当該両隔壁に連通孔を開口するとともに両連通孔を、前記洗口剤部に対する吐液処理部の回転操作により、連通あるいは隔絶密閉することができるように構成したことを特徴とする口腔内リンシングパイプ。
【請求項６】
前記吸引、吐下用パイプ部と洗口部剤の両連結部の外壁あるいは内壁のいずれか一方の全周に回転用溝を穿設するとともに他方の連結部の外壁あるいは内壁の全周に係合用の環状突起を突設し、当該環状突起を前記一方の連結部の外壁あるいは内壁の回転用溝に係合することにより、前記吸引、吐下用パイプ部に対する洗口剤部の回転操作を、前記両連結部のいずれか一方の回転用溝に沿って他方の環状突起を走行し、必要箇所に係止せしめつつ回転することにより遂行することができるように構成し、さらに前記洗口剤部と吐液処理部の両連結部の外壁あるいは内壁のいずれか一方の全周に回転用溝を穿設するとともに他方の連結部の外壁あるいは内壁の全周に係合用の環状突起を突設し、当該環状突起を前記一方の連結部の外壁あるいは内壁の回転用溝に係合することにより、前記洗口剤部に対する吐液処理部の回転操作を、前記両連結部のいずれか一方の回転用溝に沿って他方の環状突起を走行し、必要箇所に係止せしめつつ回転することにより遂行することができるように構成したことを特徴とする請求項５記載の口腔内リンシングパイプ。
【請求項７】
前記吸引、吐下用パイプ部と洗口部剤の両連結部の外壁あるいは内壁のいずれか一方の全周のうちの一部に回転用溝を穿設するとともに他方の連結部の外壁あるいは内壁の全周のうちの一部に係合用の環状突起を突設し、当該環状突起を前記一方の連結部の外壁あるいは内壁の回転用溝に係合することにより、前記吸引、吐下用パイプ部に対する洗口剤部の回転操作を、前記両連結部のいずれか一方の回転用溝に沿って他方の環状突起を走行し、かつ前記回転用溝と環状突起により回転角度方向を規制して必要箇所に係止せしめつつ回転することにより遂行することができるように構成し、さらに前記洗口剤部と吐液処理部の両連結部の外壁あるいは内壁のいずれか一方の全周のうちの一部に回転用溝を穿設するとともに他方の連結部の外壁あるいは内壁の全周のうちの一部に係合用の環状突起を突設し、当該環状突起を前記一方の連結部の外壁あるいは内壁の回転用溝に係合することにより、前記洗口剤部に対する吐液処理部の回転操作を、前記両連結部のいずれか一方の回転用溝に沿って他方の環状突起を走行し、かつ前記回転用溝と環状突起により回転角度方向を規制して必要箇所に係止せしめつつ回転することにより遂行することができるように構成したことを特徴とする請求項５記載の口腔内リンシングパイプ。
【請求項８】
前記吸引、吐下用パイプ部と洗口剤部の両連結部における、吸引、吐下用パイプ部に対する洗口剤部の回転操作による連通あるいは隔絶密閉操作は、吸引、吐下用パイプ部と洗口剤部の両連結部のいずれか一方の連結部に表記した位置合わせ用の表示部を、他方の連結部に表記した位置合わせ用の表示部に位置合わせすることにより、前記吸引、吐下用パイプ部と洗口剤部の両連通部における両連通孔を連通あるいは隔絶密閉することができるように構成し、さらに、前記洗口剤部と吐下液処理剤の両連通部における、洗口剤部に対する吐下液処理部の回転操作による連通あるいは隔絶密閉操作は、洗口剤部と吐下液処理部の両連結部のいずれか一方の連結部に表記した位置合わせ用の表示部を、他方の連結部に表記した位置合わせ用の表示部に位置合わせすることにより、前記洗口剤部と吐下液処理部の両連通部における両連通孔を連通あるいは隔絶密閉することができるように構成したことを特徴とする請求項５記載の口腔内リンシングパイプ。
【発明の詳細な説明】
【技術分野】
【０００１】
本願発明は、疾患者の口腔内リンシング用あるいは、エチケット用、特に、喫煙後の口腔内リンシングおよび消臭用として手軽に使用することができるとともに携行の利便な口腔内リンシングパイプに関するものである。
【背景技術】
【０００２】
近時は、外出先あるいは旅行先等の随意のうがいを目的とした携帯用紙コップ付きうがい薬等が提案されている。
【０００３】
例えば、登録実用新案第３０２４６４３号公報（特許文献１）は、人々の健康管理のため帰在時や帰宅時にうがいをするのは勿論のこと、外出先でも簡単に清潔なうがいが行えるように携帯用紙コップ付きうがい薬を提供する目的をもち、紙コップは１枚の防水加工をした紙をかき混ぜやすくする為に下部が少し細くなるように折り畳み、水や溶液が漏れにくいようにプレス加工を施して袋状にしたものであるとともに上部には、切り取りやすいようにミシン目が入っており、中部には水を注入する際のメモリが書いてあり、更にその袋状の紙コップの中にうがい薬をかき混ぜるかき混ぜ棒が入っているものである。
【０００４】
又、この特許文献１とは別に、薬液によるうがい行為と、その吐液処理が同時かつ衛生的に行えることを可能にした携帯用うがいパウチ容器が特開２０１１−１３９７５９号公報（特許文献２）により提案されている。
【０００５】
そして、かかるパウチ容器は、容器室を上下に分断する位置に指の力程度で開放が可能な遮蔽部を設け、スパウトに直結する上部を薬液室、下部を吐液処理室として分離する、薬液室にうがい薬などのうがい溶液が注入され、吐液処理室には吸水性高分子あるいは不織布あるいはそれらに殺菌成分などを付加しうがい行為後の吐液を保存・保持する吐液吸収物質を封入してある。
【０００６】
遮蔽部は、付属する先端が注針状のストローなどで容易に破断貫通が可能な隔膜状の薄いシートの設置、あるいは該パウチ容器を剥離可能なヒートシール処理、あるいは封止クリップ等の器具を装着するなどで遮蔽する構成のものである。
【先行技術文献】
【特許文献】
【０００７】
【特許文献１】登録実用新案第３０２４６４３号公報
【特許文献２】特開２０１１−１３９７５９号公報
【発明の開示】
【発明が解決しようとする課題】
【０００８】
前記特許文献１のような携帯用紙コップの場合には、これを使用する際に必ずうがい用の水等が必要となり、疾患者や咄嗟の口腔用リンシングには不向きであるとともに、うがい後の処理を環境的、衛生的に処理しづらい欠点を有するものである。
【０００９】
他方、特許文献２のパウチ容器にあっては、前記携帯用紙コップにおける前記問題点を解消し得るが反面、容器がかさばり携行に不便な欠点を有するとともに、使用に際しての使用方法に即座のうがいや、うがい後の吐液処理方法にも手間が掛かり、使用方法に難点を有するものである。
しかも、構成が複雑で量産性には不向きであるとともに安価な提供ができない欠点があり、実用化に難点を有するものである。
【００１０】
因って、本発明は前記従来題案されて、あまり実用化に至っていない実情に鑑みて疾患者等の咄嗟の使用や、あるいは普段のエチケット用として、さらには特に喫煙後の口腔内リンシングおよび消臭用としての使用が容易に行うことができるとともに口腔内リンシング後の吐液処理も一連の動作・操作にて簡単に処理することができ、しかも常時の携帯、処理後の携行を衛生的に簡単に遂行でき、特にタバコと同サイズに構成することにより喫煙用としての携行に最適であり、さらには量産に適し安価に実用性に富んだ口腔内リンシング用の口腔内リンシングパイプの提供を目的とするものである。
【課題を解決するための手段】
【００１１】
本発明の口腔内リンシングパイプは、吸引、吐下用パイプ部とこれに対する洗口剤部の回転操作により吸引、吐下用パイプ部と洗口剤部を連通しつつ洗口剤部の洗口剤を吸引するとともに口腔内リンシングの吐下液を洗口剤部に吐下しつつ、これを当該洗口剤部に水密的に密閉処理することができるように構成したものである。
【００１２】
又、必要に応じて前記洗口剤部に吐下後の吐下液を処理剤を充填した吐下液処理部を回転かつ水密自在に連設し、前記吸引、吐下用パイプ部の回転操作に関連して当該吐液処理部内に口腔内リンシング後の吐下液を処理しつつ水密的に密閉処理することができるように構成したものである。
【００１３】
そして、本発明は前記目的を達成するため特に、請求項１の発明の口腔内リンシングパイプは、吸引、吐下用口部を備えるパイプ状の吸引、吐下用パイプ部と、当該吸引、吐下用パイプ部の連結部に、洗口剤を充填したパイプ状の洗口剤部を回転自在に連結するとともに前記吸引、吐下用パイプ部と洗口剤部の両連結部に隔壁を設けて水密的に連結し、かつ両連結部の両隔壁にそれぞれ連通孔を開口するとともに両連通孔を、前記吸引、吐下用パイプ部に対する洗口剤部の回転操作により連通あるいは隔絶密閉することができるように構成したことを特徴とするものである。
【００１４】
又、請求項２の発明は、請求項１の口腔内リンシングパイプにおいて、前記吸引、吐下用パイプ部と洗口部剤の両連結部の外壁あるいは内壁のいずれか一方の全周に回転用溝を穿設するとともに他方の連結部の外壁あるいは内壁の全周に係合用の環状突起を突設し、当該環状突起を前記一方の連結部の外壁あるいは内壁の回転用溝に係合することにより、前記吸引、吐下用パイプ部に対する洗口剤部の回転操作を、前記両連結部のいずれか一方の回転用溝に沿って他方の環状突起を走行し、必要箇所に係止せしめつつ回転することにより遂行することができるように構成したことを特徴とするものである。
【００１５】
さらに、請求項３の発明は、請求項１の口腔内リンシングパイプにおいて、前記吸引、吐下用パイプ部と洗口部剤の両連結部の外壁あるいは内壁のいずれか一方の全周のうちの一部に回転用溝を穿設するとともに他方の連結部の外壁あるいは内壁の全周のうちの一部に係合用の環状突起を突設し、当該環状突起を前記一方の連結部の外壁あるいは内壁の回転用溝に係合することにより、前記吸引、吐下用パイプ部に対する洗口剤部の回転操作を、前記両連結部のいずれか一方の回転用溝に沿って他方の環状突起を走行し、かつ前記回転用溝と環状突起により回転角度方向を規制して必要箇所に係止せしめつつ回転することにより遂行することができるように構成したことを特徴とする。
【００１６】
そして請求項４の発明は、請求項１の吸引、吐下用パイプ部と洗口剤部の両連結部の連通孔を、吸引、吐下用パイプ部に対する洗口剤部の回転操作による連通あるいは隔絶密閉操作は、吸引、吐下用パイプ部と洗口剤部の両連結部のいずれか一方の連結部に表記した位置合わせ用の表示部を、他方の連結部に表記した位置合わせ用の表示部に位置合わせすることにより、前記吸引、吐下用パイプ部と洗口剤部の両連通部における両連通孔を連通あるいは隔絶密閉することができるように構成したことを特徴とするものである。
【００１７】
さらに、請求項５の発明の口腔内リンシングパイプは、吸引、吐下用口部を備えるパイプ状の吸引、吐下用パイプ部と、当該吸引、吐下用パイプ部の連結部に、洗口剤を充填したパイプ状の洗口剤部を回転自在に連結するとともに前記吸引、吐下用パイプ部と洗口剤部の両連結部に隔壁を設けて水密的に連結し、かつ両連結部の両隔壁にそれぞれ連通孔を開口するとともに両連通孔を、前記吸引、吐下用パイプ部に対する洗口剤部の回転操作により連通あるいは隔絶密閉することができるように構成し、さらに前記洗口剤部の後側部の連結部に吐液処理剤を充填したパイプ状の吐液処理部を回転自在に連結するとともに洗口剤部と吐液処理部の両連結部に隔壁を設けて水密的に連結し、かつ当該両隔壁に連通孔を開口するとともに両連通孔を、前記洗口剤部に対する吐液処理部の回転操作により、連通あるいは隔絶密閉することができるように構成したことを特徴とするものである。
【００１８】
又、請求項６の発明は、前記吸引、吐下用パイプ部と洗口部剤の両連結部の外壁あるいは内壁のいずれか一方の全周に回転用溝を穿設するとともに他方の連結部の外壁あるいは内壁の全周に係合用の環状突起を突設し、当該環状突起を前記一方の連結部の外壁あるいは内壁の回転用溝に係合することにより、前記吸引、吐下用パイプ部に対する洗口剤部の回転操作を、前記両連結部のいずれか一方の回転用溝に沿って他方の環状突起を走行し、必要箇所に係止せしめつつ回転することにより遂行することができるように構成し、さらに前記洗口剤部と吐液処理部の両連結部の外壁あるいは内壁のいずれか一方の全周に回転用溝を穿設するとともに他方の連結部の外壁あるいは内壁の全周に係合用の環状突起を突設し、当該環状突起を前記一方の連結部の外壁あるいは内壁の回転用溝に係合することにより、前記洗口剤部に対する吐液処理部の回転操作を、前記両連結部のいずれか一方の回転用溝に沿って他方の環状突起を走行し、必要箇所に係止せしめつつ回転することにより遂行することができるように構成したことを特徴とするものである。
【００１９】
さらに、請求項７の発明は、請求項５の口腔内リンシングパイプにおいて、前記吸引、吐下用パイプ部と洗口部剤の両連結部の外壁あるいは内壁のいずれか一方の全周のうちの一部に回転用溝を穿設するとともに他方の連結部の外壁あるいは内壁の全周のうちの一部に係合用の環状突起を突設し、当該環状突起を前記一方の連結部の外壁あるいは内壁の回転用溝に係合することにより、前記吸引、吐下用パイプ部に対する洗口剤部の回転操作を、前記両連結部のいずれか一方の回転用溝に沿って他方の環状突起を走行し、かつ前記回転用溝と環状突起により回転角度方向を規制して必要箇所に係止せしめつつ回転することにより遂行することができるように構成し、さらに前記洗口剤部と吐液処理部の両連結部の外壁あるいは内壁のいずれか一方の全周のうちの一部に回転用溝を穿設するとともに他方の連結部の外壁あるいは内壁の全周のうちの一部に係合用の環状突起を突設し、当該環状突起を前記一方の連結部の外壁あるいは内壁の回転用溝に係合することにより、前記洗口剤部に対する吐液処理部の回転操作を、前記両連結部のいずれか一方の回転用溝に沿って他方の環状突起を走行し、かつ前記回転用溝と環状突起により回転角度方向を規制して必要箇所に係止せしめつつ回転することにより遂行することができるように構成したことを特徴とする。
【００２０】
そして、請求項７の発明は、前記吸引、吐下用パイプ部と洗口剤部の両連結部における吸引、吐下用パイプ部に対する洗口剤部の回転操作による連通あるいは隔絶密閉操作は、吸引、吐下用パイプ部と洗口剤部の両連結部のいずれか一方の連結部に表記した位置合わせ用の表示部を、他方の連結部に表記した位置合わせ用の表示部に位置合わせすることにより、前記吸引、吐下用パイプ部と洗口剤部の両連通部における両連通孔を連通あるいは隔絶密閉することができるように構成し、さらに、前記洗口剤部と吐液処理部の両連通部における、洗口剤部に対する吐液処理部の回転操作による連通あるいは隔絶密閉操作は、洗口剤部と吐液処理部の両連結部のいずれか一方の連結部に表記した位置合わせ用の表示部を、他方の連結部に表記した位置合わせ用の表示部に位置合わせすることにより、前記洗口剤部と吐液処理部の両連通部における両連通孔を連通あるいは隔絶密閉することができるように構成したことを特徴とするものである。
【発明の効果】
【００２１】
本願発明によれば、疾患者等の咄嗟の使用が容易に行うことができるとともに口腔内リンシング後の吐液処理も一連の動作・操作にて簡単に処理することができ、しかも常時の携帯、処理後の携行を衛生的に簡単に遂行できる。
さらには量産に適し安価に実用性に富んだ口腔内リンシング用の口腔内リンシングパイプを提供することができる。
【実施例１】
【００２２】
図１〜３は、本発明の実施例を示すもので、図１は本発明の実施例１の口腔内リンシングパイプ１の平面図、図２は同拡大横断面図、図３は図２のＡ−Ａ断面図である。
【００２３】
図１〜３において、２は吸引、吐下用パイプ部で、この吸引、吐下用パイプ部２は、前側部２ａに吸引、吐下用口部３を設けるとともに後側部２ｂに連結部４を設け、パイプ状部材にて一体に形成してある。
そして、吸引、吐下用口部３については、使用の際の吸引、吐下時に口に咥えやすいように、外側に環状凹部３ａを設けるとともに内側には、吐液の吐下をスムースに行うことができるように盃状部３ｂを設けることにより形成してある。
【００２４】
又、４は、当該吸引、吐下用パイプ部２に回転自在、かつ水密的に連結する洗口剤部１０の連結部１１との連結部であって、吸引、吐下用パイプ部２の後側部２ａの外周細径部４ａの外周に環状突起４ｂを突設するとともに底部（吸引、吐下用パイプ部の後端底部）には連結部１１との隔壁４ｃを設けることにより形成してある。
【００２５】
他方、１０は、前記吸引、吐下用パイプ部２の連結部４に回転自在に連結した、洗口剤部で、この洗口剤部１０は、前側部１０ａに前記吸引、吐下用パイプ部２の連結部４との連結部１１を設けるとともに有底１０ｂのパイプ状部材（吸引、吐下用パイプ部２と同一外径のパイプ部）により一体に形成してある。
【００２６】
そして、当該洗口剤部１０内には、予め口腔内リンシングに必要な洗口剤（図示せず）を充填して、前記吸引、吐下用パイプ部２に連結することにより構成する。
【００２７】
当該洗口剤部１０の連結部１１は、前側部１０ａの内径を、前記吸引、吐下用パイプ部２の連結部４の外周細径部４ａの外径に対応して形成した外嵌部１１ａを設けるとともに当該外嵌部１１ａの内周に、前記吸引、吐下用パイプ部２の連結部４の環状突起４ｂとの係合用の環状の回転溝１１ｂを穿設し、さらに、吸引、吐下用パイプ部２の連結部４との隔壁１１ｃを設けることにより形成してある。
【００２８】
さらに、前記吸引、吐下用パイプ部２の連結部４の隔壁４ｃと洗口剤部１０の連結部１１の隔壁１１ｃには、それぞれ一方の連結部４，１１の内径部の半分の半円部分を開口した連通孔４ｄ、１１ｄを設けることにより形成してある。
【００２９】
そこで、前記吸引、吐下用パイプ部２の連結部４と洗口剤部１０の連結部１１は、一方の連結部４の細径部４ａに他方の連結部１１の外嵌部１１ａを外嵌するとともに細径部４ａの環状突起４ｂを環状の回転溝１１ｂに係合しつつ外嵌することにより、吸引、吐下用パイプ部２に対して洗口剤部１０を回転自在に連結することができるように構成してある。
【００３０】
そして、前記両連結部４，１１における回転操作、即ち吸引、吐下用パイプ部２に対する洗口剤部１０の回転操作により、当該吸引、吐下用パイプ部２に対して洗口剤部１０を図１〜３の位置に停止、固定することにより図２，３に示すように両連結部４の隔壁４ｃ、１１ｃにおける半円部分の連通孔４ｄ、１１ｄを同一位置に位置合わせしつつ連通することができるように構成してある。
【００３１】
又、前記吸引、吐下用パイプ部２に対する洗口剤部４の回転操作により、前記両連通孔４ｄ、１１ｄの同一位置より更に回転し、すなわち同位置より半回転（左右いずれか一方に１８０°回転）することにより、一方の連結部４の隔壁４ｃが、他方の連結部１０の連通孔１１ｄを遮蔽し、同時に他方の連結部１１の隔壁１１ｃが一方の連結部４の連通孔４ｄを遮蔽し（図４参照）、両連結部４，１１を水密的に隔絶しつつ連結することができるように構成してある。
【００３２】
そして、前記吸引、吐下用パイプ部２と洗口剤部１０の両連結部４，１１の連通孔４ｄ、１１ｄを吸引、吐下用パイプ部２に対する洗口剤部１０の回転操作時の操作に際しては図１に示すように両連結部４，１１の周面に位置合わせ用の表示部５，１２を表記しておくことにより洗口剤部１０を回転する際に、かかる表示部５，１２を目印にしつつ操作することができる。
【００３３】
又、図１の表示部５に対する表示部１２は、前記連通孔４ｄ、１１ｄを連通する操作となるが、逆に前記した両連通孔４ｄ、１１ｄを図４（ｂ）に示すように両連結部４，１１の両隔壁４ｃ、１１ｃにより遮蔽しつつ水密的に密閉する場合の位置合わせに際しては、図４（ａ）に示す如く、吸引、吐下用パイプ部２に対する洗口剤部１０の回転操作には、連結部１１の周面に前記表示部１２との対向位置（すなわち洗口剤部１０を図１の表示部５に対する表示部１２の位置より左右いずれかの方向に１８０°回転した位置に相当）に表示部１３を表記しておくことにより、これを吸引、吐下用パイプ部２の連結部４に表記される表示部５に位置合わせすることにより、図４（ｂ）に示す隔壁４ｃ、１１ｃにて両連通孔４ｄ、１１ｄを遮蔽する状態に停止し両連結部４，１１を水密的に密閉することができる。
【００３４】
さて、以上の構成から成る本実施例１の口腔内リンシングパイプ１は、図４に示す如く、吸引、吐下用パイプ部２に対して洗口剤部１０内に充填される洗口剤を当該洗口剤部１０内に水密的に密閉した状態下にて保管あるいは携行する。
【００３５】
そして、これを使用する場合には、先ず吸引、吐下用パイプ部２の吸引、吐下用口部３を口に咥えながら、洗口剤部１０を手に持ちつつ回転操作し、図１に示す表示部５に対して表示部１２を位置合わせすることにより連結部４，１１の連通孔４ｄ、１１ｄを連通することができる（図２，３参照）。
【００３６】
この状態において、吸引することにより連通孔４ｄ、１１ｄを介して洗口剤部１０内に充填されている洗口剤を口腔内に吸引することができるので、これにより口腔内のリンシングを遂行することができる。
【００３７】
さらに、かかる口腔内をリンシングした後の口腔内の処理液を吐下する場合には、リンシング後の吸引、吐下用口部３を咥える状態にて、吐下操作を行うことにより吸引、吐下用パイプ部２に吐下しつつ連結部４，１１の連結孔４ｄ、１１ｄを介して洗口剤部１０内に吐下処理することができる。
【００３８】
その後、口腔内のリンシング液を口腔内より吐下し終わった時点にて洗口剤部１０を回転して、表示部５に対して洗口剤部１０の連結部１１の表示部１３に位置合わせすることにより、洗口剤部１０内に吐下した処理液を同洗口剤部１０内に水密的に密閉処理することができる。
【００３９】
以上の説明から明らかなように本実施例１の口腔内リンシングパイプいによれば、使用に際しては、これを口に咥えるとともに手指による洗口剤部１０の回転操作による一連の操作によって簡便、スピーディーに口腔内のリンシングを行うとともに吐下液の処理を完了することができる。
又、その動作は咄嗟にも他人に気を遣わずに行うことが可能である。
【００４０】
さらに、口腔内リンシングパイプ１はパイプ状部材（円筒状のパイプ材に限定されない）にて形成することができ、小型に構成でき保管、携行には極めて至便である。
同時に量産性にも富み安価に提供することができ、デザインについても豊富な実施が可能である。
【００４１】
尚、以上の図１〜４における実施に当たっては、かかる具体的な実施例１の実施に限らず、吸引、吐下用パイプ部２と洗口剤部１０の連結部４，１１の構成については、外周細径部４ａに外嵌部１１ａを回転自在に嵌装して構成するとともに両連結部４，１１を環状突起４ｂを環状の回転用溝１１ｂに係合して連結する構成としたが、かかる構成に換えて図５（ａ）に示す如く環状突起４ｂ、回転用溝１１ｂを設けず単に外周細径部４ａの外径に対する外嵌部１１ａの内径間の調整による強制的な嵌合により、水密的な嵌合状態を維持しつつ、かつ回転自在な連結をすることも可能である。
【００４２】
その他の構成は、前記した実施例１の図１〜４と同一構成にて実施する。又、両連結部４，１１の連通孔４d、１１ｄの構成については、両連結部４，１１の隔壁４ｃ，１１ｃに半円状の連通孔４ｄ，１１ｄを開口することにより構成したが、図５（ｂ）に示す如く、半円状の開口に換えて、扇形状の開口から成る連通孔４ｄ，１１ｄを開口することにより構成することも可能で、図５（ｂ）の場合には、両連通孔４ｄ，１１ｄが連通する状態を示し、この状態から、洗口剤部１０が左右いずれかの方向に１８０°回転することにより両連通孔４ｄ、１１ｄが両隔壁４ｃ、１１ｃにて遮蔽される状態については、連通孔１１ｄを点線にて示すことにし、図１および図４と同様の構成により実施すれば足り、具体的な説明は省略する。
【００４３】
さらに、図１〜５における両連結部４，１１の具体的な構成は、これを全く逆の構成とした実施が可能である。すなわち、両連結部４，１１の構成において外周細経部４ａと外嵌部１１ａを逆にする構成、環状突起４ｂ、回転用溝１１ｂを外周細経部４ａの外周と外嵌部１１ａの内周にそれぞれ設けたが、これを全く逆の構成とする実施例を挙げることができる。
【００４４】
又、表示部５，１２，１３についても、目印的な表記に換えて、例えば「ＯＮ」、「ＯＦＦ」あるいは「開」「閉」等の表示により実施することができ、加えて、前記環状突起４ｂと回転用溝１１ｂによる回転操作上の機構あるいは図５（ａ）の回転機構に従来公知のクリック機構を設けることにより、両連結部４，１１の回転操作上、当該クリック機構により、連通孔４ｄ，１１ｄの開閉操作を確認しつつ遂行することができるように実施することが可能である。
【００４５】
そして、連通孔４ｄ，１１ｄの開口形状についても、必要に応じて両連通孔４ｄ，１１ｄ間の連通、密閉状態に応じて種々の形状、配設状態による実施が可能である。さらに洗口剤部１０内に充填する洗口剤についても、必要に応じて適宜の洗口に適した洗口剤を選定しつつ実施する。
【００４６】
さらに、前記吸引、吐下用パイプ部２と洗口剤部１０の連結部４，１１の構成については、両連結部４，１１の内外周壁に設ける図２〜４に示した環状突起４ｂ、回転用溝１１ｂをそれぞれ両連結部４，１１の全周に設けた場合の実施例を示したのであるが、図６の拡大説明図に示す如く、例えば回転用溝１１ｂについては、連結部１１の内側壁の全周ではなく３００°の範囲内に穿設するとともに環状突起４ｂについては、連結部４の外周壁には全周ではなく１２０°の範囲内に突設して形成することにより形成し、吸引、吐下用パイプ部２に対する洗口剤部１０の回転ストロークを規制することができる。すなわち、図６の場合環状突起４ｂは、回転用溝１１ｃの走行に当たり連結部１１の内壁の全周のうち回転用溝１１ｃの無い、図６の内壁の残存部分１１ｅにより走行が規制される。
【００４７】
すなわち、環状突起４ｂ、回転用溝１１ｂの配設位置と範囲によって、吸引、吐下用パイプ部２に対する洗口剤部１０の回転ストロークを規制することができ(図６の場合回転ストロークは１８０°に規制)、同規制と前記両連結部４，１１の両隔壁４ｃ、１１ｃに設ける扇形状の開口から成る両連通孔４ｄ、１１ｄの配設位置および開口形状を組み合わせた構成とすることにより、吸引、吐下用パイプ部２に対する洗口剤部１０の回転操作による両隔壁４ｃ、１１ｃの連通孔４ｄ、１１ｄにおける連通および水密的な密閉操作を適確に行うことができる。尚、図６の場合には、前記図５と同様に両連結部４，１１の隔壁４ｃ、１１ｃに扇形状の開口から成る連結孔４ｄ、１１ｄを開口した場合を示す。
【００４８】
加えて、前記環状突起４ｂ、回転用溝１１ｂの配設構成に前記表示部５，１２，１３の表示を加えた実施が可能になる。
【実施例２】
【００４９】
図７，８は本発明の実施例２を示すもので、図７は平面図、図８（ａ）、（ｂ）は洗口剤部と吸湿剤部の連結部を示す拡大断面図である。
【００５０】
本実施例２の口腔内リンシングパイプ２０は、前記実施例１の口腔内リンシングパイプ１の構成に加えて、洗口剤部１０の後側部に吐液処理剤としての吸湿剤を充填した吐液処理部としての吸湿剤部３０を回転自在且つ水密的に連結することにより構成したものである。
【００５１】
そして、吸引、吐下用パイプ部２および洗口剤部１０の構成については、実施例１と同様の構成から成るものでその具体的な説明は省略するとともに図６，７において、同一構成部分は同一符号を示し説明は省略する。
以下には、吸湿剤部３０と、これと洗口剤部１０との両連結部１５，３１について、図６，７にて説明する。
【００５２】
前記吸湿剤部３０は、当該吸湿剤部３０（有底３０ｂ）内に、口腔内リンシング後の吐下液（洗口剤を含む）を吸湿することのできる吸湿剤（図示しない）を充填し、吸引、吐下用パイプ部２、洗口剤部１０と同一外径のパイプ状部材にて一体に形成してある。
【００５３】
そして、洗口剤部１０の後側部の連結部１５との連結部３１の構成については、前記実施例１の吸引、吐下用パイプ部２と洗口剤部１０の両連結部４，１１と同一の構成から成るものである。
【００５４】
すなわち、洗口剤部１０の後側部１０ｂに外周細経部１５ａを設け、当該外周細経部１５ａの外周に環状突起１５ａを突設するとともに隔壁１５ｃを設け、かつこの隔壁１５ｃには半円状の連通孔１５ｄを開口することにより形成する。
【００５５】
他方、吸湿剤部３０の前側部３０ａには、外嵌部３１ａの内周に、前記洗口剤部１０の外周細経部１５ａの外周に突設した環状突起１５ｂに回転自在に係合する環状の回転用溝３１ｂを突設するとともに隔壁３１ｃを設け、かつこの隔壁３１ｃに半円状の連通孔３１ｄを開口することにより形成する。
【００５６】
そこで、内部に吸湿剤を充填した後の吸湿剤部３０を、その連結部３１の外嵌部３１ａを洗口剤部１０の連結部１５の外周細経部１５ａに外嵌し、回転用溝３１ｂに環状突起１５ｂを係合することにより、洗口剤部１０の後側部に回転自在に連結する。
【００５７】
そして、図７、８に示す場合には、洗口剤部１０の連結部１５の外周面に表記した表示部１６に対して、吸湿剤部３０を回転して、その連結部３１の外周面に表記した表示部３２を位置合わせして、停止することにより、両連結部１５，３１における、連通孔１５ｄ、３１ｄを連通した状態にすることができる
【００５８】
又、両連結部１５、３１の連通孔１５ｄ、３１ｄを水密的に密閉状態に連結する場合には、前記実施例１の吸引、吐下用パイプ部２と洗口剤部１０の両連結部４，１１と同様に吸引、吐下用パイプ部２に対する洗口剤部１０の左右いずれかの方向に１８０°回転した位置の表示部１２との対向位置に表記した表示部１３と同様にして、吸湿剤部３０の連結部３１の外周表面に表示する表示部３３（具体的に図示せず、図７においての表示部３２との対向側の同一位置に表記したものとする）に位置合わせすることにより、両連通孔１５ｄ、３１ｄは両連結部１５，３１の両隔壁１５ｃ、３１ｃにより、それぞれ遮蔽され、水密的に密閉することができるように構成する。
【００５９】
そして、前記連結部１５，３１についても実施例１の図６に示される構成により実施が可能である。
【００６０】
以上の構成から成る実施例２の口腔内リンシングパイプ２０については、保管あるいは携行する場合には、吸引、吐下用パイプ部２、洗口剤部１０および吸湿剤部３０の各連結部４，１１，３１はそれぞれ水密的に密閉された状態にて保管、携行する。
【００６１】
しかして、これを使用する場合には、前記実施例１と同様にして、吸引、吐下用パイプ部２の吸引、吐下用口部３を口にくわえながら、洗口剤部１０の洗口剤を口腔内に吸引後口腔内を漱ぎ、これを終了した時点において、今度は、吸湿剤部３０を、回転操作して、洗口剤部１０の連結部１５の表示部１６に表示部３２を位置合わせして保持する。
【００６２】
この保持状態下に口腔内のリンシング後の吐下液を吸引、吐下用口部３より吸引、吐下用パイプ部２内に吐下することにより吐下液は、同パイプ部２内より洗口剤部１０を介して吸湿剤部３０内に吐下され、同内部に充填される吸湿剤により吸湿処理することができる。
【００６３】
さらに、その後、洗口剤部１０および吸湿剤部３０をそれぞれの連結部４，１１および連結部１５，３１において表示部５，１５に対して表示部１３，３３を位置合わせすることにより各連結部４，１１，１５，３１を水密的に密閉することにより、口腔内のリンシングおよび吐下液の処理を完了することができる。
【００６４】
以上のように本実施例２の口腔内リンシングパイプ２０によれば実施例１の口腔内リンシングパイプ１と同様の作用効果をえられるとともに本実施例２の口腔内リンシングパイプ２０の場合には、吐下後の吐下液を吸湿剤部３０の吸湿剤により処理することができ、吐下後の管理をより衛生的に遂行することができる。
【００６５】
尚、前記実施例上、吸湿剤としては吸湿性高分子等のポリマあるいはその他の吐下液を所要の処理を行うのに適した種々の処理剤を適用しつつ実施することができ、その他実施例１の場合と同様に、種々の実施が可能であり、その実施例の具体的説明は省略する。
【図面の簡単な説明】
【００６６】
【図１】実施例１を示す口腔内リンシングパイプの平面図
【図２】実施例１を示す口腔内リンシングパイプの一部を省略した拡大横断面図
【図３】図２のＡ−Ａ線断面図
【図４】（ａ）は実施例１を示す口腔内リンシングパイプの吸引、吐下用パイプ部と洗口剤部の連結部を示す部分平面、（ｂ）は図４（ａ）の拡大横断面図
【図５】（ａ）は実施例１を示す口腔内リンシングパイプの吸引、吐下用パイプ部と洗口剤部の連結部の別の実施例を示す説明図、（ｂ）は実施例１を示す口腔内リンシングパイプの吸引、吐下用パイプ部と洗口剤部の連結部の別の実施例を示す説明図
【図６】実施例１を示す口腔内リンシングパイプの吸引、吐下用パイプ部と洗口剤部の連結部の別の実施例を示す説明図
【図７】実施例２を示す口腔内リンシングパイプの平面図
【図８】（ａ）は実施例２を示す口腔内リンシングパイプの洗口剤部と吸湿剤部の拡大横断面図、（ｂ）は図７（ａ）のＢ−Ｂ線断面図
【符号の説明】
【００６７】
１      口腔内リンシングパイプ
２      吸引、吐下用パイプ部
２ａ    前側部
３      吸引、吐下用口部
３ａ    凹部
３ｂ    盃状部
４      連結部
４ａ    外周細径部
４ｂ    環状突起
４ｃ    隔壁
４ｄ    連通孔
５      表示部
１０    洗口剤部
１０ａ  前側部
１０ｂ  有底
１１    連結部
１１ａ  外嵌部
１１ｂ  環状の回転用溝
１１ｃ  隔壁
１１ｄ  連通孔
１１ｅ  内壁の残存部分
１２    表示部
１３    表示部
１５    連結部
１５ａ  外周細径部
１５ｂ  環状突起
１５ｃ  隔壁
１５ｄ  連通孔
３０    吸湿剤部
３０ａ  前側部
３０ｂ  有底
３１    連結部
３１ａ  外嵌部
３１ｂ  環状の回転用溝
３１ｃ  隔壁
３１ｄ  連通孔
３２    表示部
３３    表示部
【図１】
2014030517.tif 000003
【図２】
2014030517.tif 000004
【図３】
2014030517.tif 000005
【図４】
2014030517.tif 000006
【図５】
2014030517.tif 000007
【図６】
2014030517.tif 000008
【図７】
2014030517.tif 000009
【図８】
2014030517.tif 000010